(57)【要約】【課題】デジタルチューナーを複数搭載し、コンテンツの同時録画を可能とするＤＶＤ／ＨＤＤビデオレコーダではコンテンツ移動時の保険としてコピーワンスの同一コンテンツを同時録画する方法はよく行われており、コピー回数が複数回で運用される場合もコピー回数増加を目的として多用されると予想される。しかしながら、実際に同一のコンテンツを複数録画する事は電力量や処理負荷、またＤＶＤ等の光ディスクやＨＤＤ等の記録媒体の容量、消耗を考慮すると非効率的であると言える。【解決手段】本発明では、録画対象である複数のコンテンツの内の少なくとも２つ以上のコンテンツにコピーワンスの制限があり、更にこれらが同一である場合は、コンテンツの録画は１つのみ行い、コピー回数を倍増させる。以上により同時録画と同様の結果をもたらし、課題の解決を図った。【選択図】図２
2008234771.tif 000002
【特許請求の範囲】
【請求項１】
同時録画機能を持つ映像機器により複数の同じ或いは異なるコンテンツを１以上の記録媒体に同時録画する方法において、前記複数のコンテンツの内の少なくとも２つ以上のコンテンツが同一のコンテンツであるかを検査し、同一でない場合は前記複数のコンテンツの同時録画を実行し、同一コンテンツである場合はこれら同一のコンテンツにコピー制限があるか否かを検査し、コピー制限がない場合は、これら同一のコンテンツの同時録画を実行し、これら同一のコンテンツにコピーワンスの制限があればこれら同一のコンテンツのうち１つについて録画を実行し、コンテンツのコピー回数のみ倍増するコピー制限コンテンツの同時録画の処理方法。
【請求項２】
同時録画機能を持つ映像機器により複数の同一コンテンツを１以上の記録媒体に同時録画する方法において、前記の同一コンテンツにコピー制限があるか否かを検査し、コピーワンスの制限があればこれら同一のコンテンツのうち１つについて録画を実行し、コンテンツのコピー回数のみ倍増し、前記処理によって未動作となっているチューナーを使用して前記コンテンツと異なるコンテンツを更に録画する事を可能とするコピー制限コンテンツの同時録画の処理方法。
【請求項３】
同時録画機能を持つ映像機器により複数の同一コンテンツを１以上の記録媒体に同時録画する方法において、前記の同一コンテンツにコピー制限があるか否かを検査し、コピーワンスの制限があればこれら同一のコンテンツのうち１つについて録画を実行し、コンテンツのコピー回数のみ倍増し、前記処理によって未動作となっているチューナーを使用して前記コンテンツと異なる複数の同一コンテンツにコピーワンスの制限があれば、更にこれら同一のコンテンツのうち１つについて録画を実行し、コンテンツのコピー回数のみ倍増する事を可能とするコピー制限コンテンツの同時録画の処理方法。
【請求項４】
複数のコンテンツを１以上の記録媒体に同時録画可能な１以上のドライブ部と前記複数のコンテンツの内の少なくとも２つ以上のコンテンツが同一のコンテンツであるかを検査し、同一でない場合は前記複数のコンテンツの同時録画を実行する手段と、同一コンテンツである場合はこれら同一のコンテンツにコピー制限があるか否かを検査し、コピー制限がない場合は、これら同一のコンテンツの同時録画を実行する手段と、これら同一のコンテンツにコピーワンスの制限があればこれら同一のコンテンツのうち１つについて録画を実行し、コンテンツのコピー回数のみ倍増する手段とを備えた映像機器。
【請求項５】
複数の同一コンテンツを１以上の記録媒体に同時録画可能な１以上のドライブ部と、前記の同一コンテンツにコピー制限があるか否かを検査し、コピーワンスの制限があればこれら同一のコンテンツのうち１つについて録画を実行し、コンテンツのコピー回数のみ倍増する手段と、前記処理によって未動作となっているチューナーを使用して前記コンテンツと異なるコンテンツを更に録画する事を可能とする手段とを備えた映像機器。
【請求項６】
複数の同一コンテンツを１以上の記録媒体に同時録画可能な１以上のドライブ部と、前記の同一コンテンツにコピー制限があるか否かを検査し、コピーワンスの制限があればこれら同一のコンテンツのうち１つについて録画を実行し、コンテンツのコピー回数のみ倍増する手段と、前記処理によって未動作となっているチューナーを使用して前記コンテンツと異なる複数の同一コンテンツにコピーワンスの制限があれば、更にこれら同一のコンテンツのうち１つについて録画を実行し、コンテンツのコピー回数のみ倍増する事を可能とする手段とを備えた映像機器。
【発明の詳細な説明】
【技術分野】
【０００１】
本発明は、１コンテンツあたりのコピー回数が複数回で運用される事を前提とし、コピー制限コンテンツの複数同時録画における処理方法、およびコピー制限コンテンツを条件に応じて複数同時録画する映像機器に関する。
【背景技術】
【０００２】
近年、ＤＶＤビデオレコーディング（ＤＶＤ−ＶＲ）規格に基づくデジタルビデオレコーダが開発され、その高画質、簡便性、アクセス性の高さなどから、急速に普及が進んでいる。とくに、ＤＶＤ規格に基づく光ディスクの他に、記録媒体として大容量ハードディスクドライブ（ＨＤＤ）も装備したＤＶＤ／ＨＤＤビデオレコーダが、その機能性の高さから好評を受けている。コンテンツ移動時の保険としてコピーワンスの同一コンテンツを同時録画する方法はよく行われている（例えば、特許文献１参照。）。
【特許文献１】特開２００３―２２４８１３号公報
【発明の開示】
【発明が解決しようとする課題】
【０００３】
コンテンツ移動時の保険としてコピーワンスの同一コンテンツを同時録画する方法はよく行われており、コピー回数が複数回で運用される場合もコピー回数増加を目的として多用されると予想される。しかしながら、実際に同一のコンテンツを複数録画する事は電力量や処理負荷、またＤＶＤ等の光ディスクやＨＤＤ等の記録媒体の容量、消耗を考慮すると非効率的であると言える。
【課題を解決するための手段】
【０００４】
この発明の一実施の形態に係るコピー制限コンテンツの同時録画の処理方法は、同時録画機能を持つ映像機器により複数の同じ或いは異なるコンテンツを１以上の記録媒体（ＨＤＤ／光ディスク）に同時録画する際に用いられる方法である。この方法において、前記複数のコンテンツ各々にコピー制限があるか否かを検査し、前記複数のコンテンツのいずれにもコピー制限がない場合（コピーフリー）は、前記複数のコンテンツの同時録画を実行する。しかし、前記複数のコンテンツの内の少なくとも２つ以上のコンテンツにコピーワンスの制限があり、更にこれらが同一である場合は、コンテンツの録画は１つのみ行い、コピー回数を倍増させる。
【発明の効果】
【０００５】
複数の同一コンテンツを録画する際に、コピー回数のみを倍増させることで実際は１つの録画で同時録画と同様の効果を得ることができる
【発明を実施するための最良の形態】
【０００６】
以下、図面を参照しながら本発明の実施の形態を説明する。但し、以下は一例であり実施形態等はこれに限定しない。
【０００７】
チューナーを複数搭載した映像記録装置において、同一時間帯に複数の予約登録があった場合には同時録画処理が行われるが、最初に登録された予約の中に同一のコンテンツが存在するかの検査を行う。
これはＥＰＧ情報（放送チャネル、放送時間、番組タイトル、キーワード識別子、復号／伸張処理情報等）の比較により行う。ここで同一コンテンツが存在しなければ同時録画処理を開始するが、もし、同一コンテンツが存在すれば、次に該当コンテンツのコピー世代の検査を行う。該当コンテンツのコピー制御属性がコピーフリーであれば同時録画処理を開始する。該当コンテンツのコピー制御属性がコピーワンスである場合は、その内の一つのコンテンツに対して録画処理を開始する。録画終了時に録画されたコンテンツのコピー回数情報を倍増させるべくコピー情報の更新処理を行う。（請求項１、及び４に対応  図２参照）
また、図２の実施形態で録画中にはチューナーが一つ動作していない状態であるので、著作権上の問題はあるが、別の予約録画を行う事が可能である。
この場合はまず、予約録画登録時に既に登録されている予約録画が存在するかを確認し、存在していなければ予約録画登録処理を行う。存在していれば予約録画登録可能数の検査を行うが、これは映像記録装置の仕様による。予約録画登録可能数に空きがあれば予約録画登録処理を行う。予約録画登録可能数に空きがない場合は、予約録画登録しようとしているコンテンツのコピー世代の検査を行い、コピー制御属性がコピーフリーであればこれ以上の予約録画登録は不可なので、その旨の処理を行う。該当コンテンツのコピー制御属性がコピーワンスである場合は、既に予約録画登録されているコンテンツを含めて同一のコンテンツが存在するかの検査を行い、存在しなければ予約録画登録不可処理を、存在していれば予約録画登録処理を行う。（図３参照）上記の形態で予約録画登録されたコンテンツの録画時には、同一コンテンツの検査と併せて、それ以外に異なる別の予約録画が存在するかを検査し、存在する場合には、同一コンテンツの内の一つとそれ以外のコンテンツの同時録画処理を行い、録画終了時に同一の方の録画されたコンテンツに対してコピー回数情報を倍増させるべくコピー情報の更新処理を行う。（請求項２、及び５に対応  図４参照）
上記形態を更に発展させて、異なる複数組の同一コンテンツを同時録画する事も可能になる。この場合は、実行しようとしている予約録画全てに対して同一コンテンツの検査、及びそれ以外のコンテンツが存在するかの検査の組み合わせで異なる複数組の同一コンテンツを精査し、それぞれ同一コンテンツの内一つを同時録画する。録画終了時には録画されたそれぞれのコンテンツに対してコピー回数情報を倍増させるべくコピー情報の更新処理を行う。（請求項３、及び６に対応  図５参照）
【産業上の利用可能性】
【０００８】
本発明にかかる処理方法及び映像機器は、複数の同一コンテンツを録画する際に、コピー回数のみを倍増させることで実際は１つの録画で同時録画と同様の効果を得ることができる。特に、記録媒体の使用容量、消耗を抑える事が出来るためＨＤＤやＤＶＤ、ＢＤ等に複数同時録画する機器に有効である。
【図面の簡単な説明】
【０００９】
【図１】本発明を実現する為に必要な装置の簡単な構成図
【図２】本発明を実現する為の録画処理フロー図
【図３】本発明を実現する為の予約登録処理フロー図
【図４】本発明を実現する為の録画処理フロー図
【図５】本発明を実現する為の録画処理フロー図
【符号の説明】
【００１０】
１００    制御部
１０１    表示部
１０２    キー入力部
１０３ａ    リモコン受信部
１０３ｂ    リモコン
２００    チューナー選択部
２０１    ＡＶ入力
２０２    地上波アナログチューナー
２０３    地上波デジタルチューナー
２０４    ＢＳ／ＣＳデジタルチューナー
３０１    主エンコーダ
３０２    副エンコーダ
４０１    デコーダ
１１    データ処理部
１２    ディスクドライブ部
１３    ＨＤＤ部
１２ａ、１３ａ    データ暗号化＆複合化部
【図１】
2008234771.tif 000003
【図２】
2008234771.tif 000004
【図３】
2008234771.tif 000005
【図４】
2008234771.tif 000006
【図５】
2008234771.tif 000007